(57)【要約】【課題】  螺子類が緩みにくく、突起が成形し易く、嵌合する突起同士が嵌合する突起を乗り越え易くする。【解決手段】  座金表面に螺子類の頭部裏面の頭部突起と嵌合可能な座金表面突起を設け、その座金表面突起は座金の周方向に一個又は複数個とした。座金表面に螺子類の頭部裏面の頭部突起と嵌合可能な座金表面突起があり、座金裏面に締め付け対象物に食い込み可能又は圧接可能な座金裏面突起があり、座金表面突起と座金裏面突起の一方の突起は座金周方向に一個又は複数個あり、他方の突起は座金周方向に山形放射状突起であり、座金表面と座金裏面のいずれかを螺子類の頭部裏面側に向けて使用可能な両面座金とした。螺子類の頭部裏面側に一枚の座金が抜け落ちないように取り付け、座金を前記記載の座金とした。【選択図】図１
2018189097.tif 000002
【特許請求の範囲】
【請求項１】
ボルト又はナット等の螺子類の頭部裏面側にセットして、又は抜け落ちないように取り付けて使用する座金であり、
座金表面に螺子類の頭部裏面の頭部突起と嵌合可能な座金表面突起があり、その座金表面突起は座金の周方向に一個又は複数個あり、螺子類の頭部裏面周方向に複数の山形突起が連続して放射状に形成された頭部突起と嵌合可能である、
ことを特徴とする座金。
【請求項２】
ボルト又はナット等の螺子類の頭部裏面側にセットして、又は抜け落ちないように取り付けて使用する座金であり、
座金表面に螺子類の頭部裏面の頭部突起と嵌合可能な座金表面突起があり、座金裏面に締め付け対象物に食い込み可能又は圧接可能な座金裏面突起があり、座金表面突起と座金裏面突起の一方の突起は座金周方向に一個又は複数個あり、他方の突起は座金周方向に複数の山形突起が連続して放射状に形成された山形放射状突起であり、座金表面と座金裏面のいずれかを螺子類の頭部裏面側に向けて使用可能である、
ことを特徴とする両面座金。
【請求項３】
二枚の座金を重ねた座金セットであり、
二枚の座金のうち、上座金の裏面に上座金裏面突起が、下座金の表面に下座金表面突起があり、それら両突起のうち、一方の突起は座金の周方向に一個又は複数個設けられたものであり、他方の突起は複数の山形突起が連続して放射状に形成された山形放射状突起であり、
上座金表面突起は頭部突起と嵌合可能、又は頭部裏面に食い込み可能な突起であり、
上座金裏面突起と下座金表面突起は互いに嵌合可能な突起であり、
下座金裏面突起は締め付け対象物に食い込み可能又は圧接可能である、
ことを特徴とする座金セット。
【請求項４】
螺子類の頭部裏面側に一枚の座金が抜け落ちないように取り付けられたものであり、
前記座金が請求項１記載の座金であり、その座金の座金表面突起を螺子類の頭部裏面側に向けて抜け落ちないように取り付けたものである、
ことを特徴とする座金一枚付き螺子類。
【請求項５】
螺子類の頭部裏面側に一枚の座金が抜け落ちないように取り付けられたものであり、
前記座金が請求項２記載の座金であり、その座金の座金表面突起を螺子類の頭部裏面側に向けて、又は座金裏面突起を螺子類の頭部裏面側に向けて、抜け落ちないように取り付けたものである、
ことを特徴とする座金一枚付き螺子類。
【請求項６】
本発明の座金付き螺子類は、螺子類の頭部裏面側に二枚の座金セットが抜け落ちないように取り付けられたものであり、
前記座金セットが請求項３記載の座金セットであり、その座金セットのうち、上座金表面突起を螺子類の頭部裏面側に向けて抜け落ちないように取り付けた、
ことを特徴とする座金二枚付き螺子類。
【発明の詳細な説明】
【技術分野】
【０００１】
本発明は座金と、二枚の座金を一組とした座金セットと、ボルト、ナット等の螺子類の頭部裏面の根元側に座金を抜け落ちないように取り付けた座金付き螺子類に関し、締め付け後に螺子類が緩みにくくなるようにしたものである。
【背景技術】
【０００２】
従来、緩み止め機構を備えた座金や座金付き螺子類として、本件出願人が先に出願したもの（特許文献１〜７）がある。特許文献１〜７の座金付き螺子類はボルト、ナット等の螺子類の頭部裏面の根元側に座金を抜けないようにセットしたものである。座金は表面に側面視山形の座金突起が放射状に設けられ、裏面の周方向数箇所に食い込み突起が設けられている。この座金は螺子類の頭部裏側にセットして螺子類を締め付けると、螺子類の頭部裏面の頭部突起と、前記座金突起とが噛み合って（嵌合して）座金が締め付けられ、食い込み突起が締め付け対象物に食い込んで螺子類の緩みが防止されるようにしてある。
【先行技術文献】
【特許文献】
【０００３】
【特許文献１】特開２００６−２４２３２４号公報
【特許文献２】特開２００６−３０７９６５号公報
【特許文献３】特開２０１１−０３８５９６号公報
【特許文献４】特開２０１５−２１８８７４号公報
【特許文献５】特開２０１５−２２４６７１号公報
【特許文献６】特開２０１５−２３００４１号公報
【特許文献７】特開２０１６−０１４４５０号公報
【発明の概要】
【発明が解決しようとする課題】
【０００４】
特許文献１〜７の座金も、座金付き螺子類も、螺子類の締め付け後に緩みにくくなるという利点があるが、頭部突起と座金突起が共に山形の突起であるため、頭部突起と座金突起が確実に嵌合するようにするためには、それら突起を成型する金型に精密な寸法精度が要求される。そのため突起の成形も金型製作も面倒であった。また、頭部突起と座金突起が共に本数が多いため、金型製作も精度の高い山形突起の成形も面倒であった。しかも、頭部突起と座金突起の頂部（稜線部）も山の根元部分（谷部）が先鋭な角度であるため、頭部突起と座金突起の噛み合いがきつくなり、螺子類を無理に回転させると頭部突起と座金突起の山が欠損することがあった。また、座金裏面突起が締め付け対象物に食い込んでも、なおも、螺子類を締め付け回転させると、螺子類の回転に伴って座金も回転（座金が螺子類と共廻り）し、締め付け対象物に座金裏面突起の廻り傷が付くことがある。廻り傷が付くと座金が空転し易くなり、螺子類の締め付けが緩み易くなるという課題があった。
【０００５】
本発明の解決課題は、座金が螺子類と共廻りしにくく、螺子類の締め付けが緩みにくく、山形突起の成形も金型製作も容易であり、頭部突起及び座金突起の山を欠損しにくくすることにある。
【課題を解決するための手段】
【０００６】
本発明は座金、両面座金、座金セット、座金付き螺子類に関する。それらは次の構成としてある。
【０００７】
［座金］
本発明の座金は、座金の周方向に一個又は複数個の座金表面突起があり、その突起を、螺子類の頭部裏面に山形突起が連続して放射状に形成されている頭部突起と嵌合可能としたものである。また、座金表面突起の少なくとも頂部を弧状にして、螺子類の締め付け回転時に前記頭部突起を円滑に乗り越え回転可能とすることもできる。
【０００８】
［両面座金］
本発明の両面座金は、座金表面と座金裏面の双方に突起を設け、一方の面の突起は座金周方向に一個又は複数個あり、他方の面の突起は座金周方向に複数の山形突起が連続して放射状に形成されており、表面と裏面のいずれの面の突起も、螺子類の頭部裏面に山形突起が連続して放射状に形成されている頭部突起と嵌合可能であるか、又は、螺子類の平面状の頭部裏面に食い込み又は圧接可能としたものである。
【０００９】
［座金セット］
本発明の座金セットは、二枚の座金を重ねたものであり、上座金の表面に上座金表面突起が、裏面に上座金裏面突起があり、下座金の表面に下座金表面突起が、裏面に下座金裏面突起があり、上座金表面突起は螺子類の頭部突起と嵌合可能であるか、平面状の頭部裏面に食い込み可能であり、上座金裏面突起と下座金表面突起は互いに嵌合可能であり、下座金裏面突起は締め付け対象物に食い込み又は圧接可能なものである。
【００１０】
［座金一枚付き螺子類］
本発明の座金付き螺子類は、前記座金又は両面座金一枚を、その座金表面突起を螺子類の頭部裏面に向けて、当該頭部裏面側に抜け落ちないように取り付けたものである。
【００１１】
［座金二枚付き螺子類］
本発明の座金付き螺子類は、前記座金セットを、その上座金表面突起を螺子類の頭部裏面に向けて、当該頭部裏面側に抜け落ちないようにセットしたものである。
【発明の効果】
【００１２】
本発明の座金は次のような効果がある。
（１）座金表面突起が座金の周方向に一個又は複数個しか突設されていないため、プレス機での成形が容易である。
（２）座金表面突起の頂部を弧状にした場合、螺子類の頭部突起との噛み合いが滑らかになり、螺子類の締め付けによる頂部の欠損が少ない。また、座金表面突起を製作する金型も損傷しにくくなる。座金裏面突起が締め付け対象物に食い込んでから又は圧接してから、更に螺子類を締め付けても、座金が螺子類と共廻りしにくくなり、締め付け対象物に共廻り傷が付きにくくなる。
【００１３】
本発明の両面座金は、螺子類の頭部突起の有無、頭部突起の形状に合わせて、表面と裏面を裏返しにして、いずれかの面を螺子類の頭部裏面に向けて使用することができるので、頭部突起の有無、頭部突起の形状に合った異なる形状、構造の座金を各種用意する必要がなく、使用勝手が良い。
【００１４】
本発明の座金セットは、螺子類の頭部裏面に取り付ければ、頭部突起と上座金表面突起との嵌合と、上座金裏面突起と下座金表面突起との嵌合と、締め付け対象物への下座金裏面突起の食い込み又は圧接との三重の係止になるため、緩み防止が確実になる。
【００１５】
本発明の座金一枚付き螺子類は、螺子類に座金をセットする面倒がない。
【００１６】
本発明の座金二枚付き螺子類は、螺子類に座金をセットする面倒がない。
【図面の簡単な説明】
【００１７】
【図１】本発明の座金付き螺子類がボルトと一枚の座金の場合の組み合わせ例であり、（ａ）〜（ｈ）はボルトと座金の組み合わせの異なる例の説明図。
【図２】本発明の座金付き螺子類がボルトと二枚の座金の場合の組み合わせ例であり、（ａ）〜（ｃ）はボルトの異なる例の説明図、（ｄ）と（ｅ）、（ｆ）と（ｇ）、（ｈ）と（ｉ）、（ｊ）と（ｋ）、（ｌ）と（ｍ）は二枚の座金の異なる組み合わせ例の説明図。
【図３】（ａ）は本発明における頭部突起であって山形連続放射状である場合の一例を示す平面図、（ｂ）は（ａ）の頭部突起の一部断面図、（ｃ）は本発明における座金表面突起又は座金裏面突起の一例を示す平面説明図、（ｄ）、（ｅ）は異なる形状の座金表面突起又は座金裏面突起を備えた座金の斜視図。
【図４】本発明の座金付き螺子類がボルトの場合の一例であり、（ａ）はボルトと一枚の座金を組み合わせる前の説明図、（ｂ）はボルトと座金を組み合わせた座金一枚付きボルトの説明図、（ｃ）は（ｂ）の座金一枚付きボルトの使用説明図。
【図５】本発明の座金付き螺子類がボルトの場合の他例であり、（ａ）はボルトと一枚の座金を組み合わせる前の説明図、（ｂ）はボルトと座金を組み合わせた座金一枚付きボルトの説明図、（ｃ）は（ｂ）の座金一枚付きボルトの使用説明図。
【図６】本発明の座金付き螺子類がナットの場合の一例であり、（ａ）はナットと一枚の座金を組み合わせる前の説明図、（ｂ）はナットと座金を組み合わせた座金一枚付きナットの説明図、（ｃ）は（ｂ）の座金一枚付きナットの一部縦断説明図。
【図７】本発明の座金付き螺子類がナットの場合の他例であり、（ａ）はナットと一枚の座金を組み合わせる前の説明図、（ｂ）はナットと座金を組み合わせた座金一枚付きナットの説明図、（ｃ）は（ｂ）の座金一枚付きナットの一部縦断説明図。
【図８】本発明の座金付き螺子類がボルトの場合の一例であり、（ａ）はボルトと二枚の座金を組み合わせる前の説明図、（ｂ）はボルトと座金を組み合わせた座金二枚付きボルトの説明図、（ｃ）は（ｂ）の座金二枚付きボルトの使用説明図。
【図９】本発明の座金付き螺子類がボルトの場合の他例であり、（ａ）はボルトと二枚の座金を組み合わせる前の説明図、（ｂ）はナットと座金を組み合わせた座金二枚付きボルトの説明図、（ｃ）は（ｂ）の座金二枚付きボルトの使用説明図。
【図１０】本発明の座金付き螺子類がナットの場合の一例であり、（ａ）はナットと二枚の座金を組み合わせる前の説明図、（ｂ）はナットと座金を組み合わせた座金二枚付きナットの説明図、（ｃ）は（ｂ）の座金二枚付きナットの一部縦断説明図。
【図１１】本発明の座金付き螺子類がナットの場合の他例であり、（ａ）はナットと二枚の座金を組み合わせる前の説明図、（ｂ）はナットと座金を組み合わせた座金二枚付きナットの説明図、（ｃ）は（ｂ）の座金二枚付きナットの一部縦断説明図。
【図１２】本発明の座金の使用説明図。
【図１３】本発明における頭部突起、座金表面突起、座金裏面突起の一例であり、それら突起が弧状の波形の場合であり、（ａ）は嵌合前の断面図、（ｂ）は嵌合状態の断面図。
【図１４】本発明における座金一枚付きボルトであって、（ａ）は座金の一方の面を螺子類の頭部裏面に向けてセットする場合の説明図、（ｂ）は座金の他方の面を螺子類の頭部裏面に向けてセットする場合の説明図。
【図１５】本発明における座金付きボルトの説明図。
【発明を実施するための形態】
【００１８】
（座金の実施形態１）
本発明の座金１は、ボルト又はナット等の螺子類６（図１（ａ））の頭部７の裏面に、図４（ａ）のようにセットして、又は脱落しないように取り付けて使用するものである。図１（ａ）の螺子類の頭部突起８は、図３（ａ）のように、複数の山形突起が頭部裏面の周方向に連続成形されており、ボルト軸１８側から外周に向けて放射状に形成されている。個々の山形突起は図３（ｂ）のように側面視略Ｖ字状の山形であり、締め付け回転方向に傾斜の緩やかな乗り越え斜面３０と、逆方向に傾斜の急な係止斜面３１を備え、両斜面の頂部（稜線部）８ａと、両斜面の根元部分（谷部）８ｂが弧状である。頭部突起８はプレス機で加圧成形してある。
【００１９】
［座金］
本発明の座金の一例として図１（ｅ）に示す座金１は、中心部に差し込み孔２を備えた円盤状の座金基板３の表面に座金表面突起４が、裏面に座金裏面突起５が突設されている。座金裏面突起４も座金裏面突起５も座金基板３の周方向数箇所に形成されている。
【００２０】
図１（ｅ）の座金１の座金表面突起４はプレス機で加圧成形されている。座金表面突起４は図１（ａ）のボルト６の頭部突起８と嵌合（噛み合い）可能な形状であり、図３（ｄ）の場合は横細長であり頂部４ａが先鋭である。図３（ｅ）の座金表面突起４は横細長であり頂部４ａが弧状である。座金表面突起４の形状、個数、間隔等は図３（ｂ）の頭部突起８と嵌合できるように設計されている。座金表面突起４は図３（ｂ）のように緩やかな傾斜の乗り越え斜面と急な傾斜の係止斜面を備えたものであってもよい。
【００２１】
図１（ｅ）の座金１の座金裏面突起５もプレス機で加圧成形されている。この座金裏面突起５は図３（ｃ）ように円錐状であり、頂部が先鋭であり、プレス機で加圧して座金基板３の肉を盛り上がらせて形成してある。座金裏面突起５の根元周囲にはプレス機による加圧跡（凹陥部）１１がリング状に形成されている。図４（ｃ）に示すように締め付け対象物Ａに食い込み可能である。座金裏面突起５の形状、個数、間隔等も締め付け対象物Ａに食い込みできるように適宜設計できる。
【００２２】
図１（ｅ）の座金表面突起４と座金裏面突起５は座金基板３の周方向に位置をずらして形成されている。表面と裏面の同じ位置に形成すると、例えば、先に座金表面突起４をプレス成形し、その後に座金裏面突起５をプレス成形すると、先に成型された座金表面突起４が潰れることがある。この潰れを避けるために位置をずらすのが望ましい。座金裏面突起５も座金基板３の周方向に一個又は複数個を形成することができる。その形状、個数、間隔等は任意に設計することができる。
【００２３】
（座金の実施形態２）
図１（ｆ）に示す座金１も、中心部に差し込み孔２を備えた座金基板３の表面に座金表面突起４が、裏面に座金裏面突起５がある。座金表面突起４及び座金裏面突起５はプレス機で加圧成形してある。この座金１はボルト又はナット等の螺子類６（図１（ｂ））の頭部裏面にセットして、又は脱落しないように取り付けて使用するものである。
【００２４】
図１（ｆ）の座金表面突起４は、図３（ｃ）のように円錐状であり、頂部が先鋭で、図１（ｂ）のボルト６の平面状の頭部裏面１０に食い込み可能な突起である。座金表面突起４の形状、個数、間隔等は頭部裏面１０に食い込み可能なように設計することができる。図１（ｆ）の座金１の座金裏面突起５は図１（ｅ）の座金１の座金裏面突起５と同じ形状であり、締め付け対象物Ａ（図４（ｃ））に食い込み可能である。図１（ｆ）の座金表面突起４と座金表面突起５も、円盤状の座金基板３の周方向に位置をずらして形成されている。座金裏面突起５の形状、個数、間隔等は締め付け対象物Ａ（図４（ｃ））に食い込みできるように設計することができる。
【００２５】
（座金の実施形態３）
図１（ｇ）に示す座金１も、座金基板３の中心部に差し込み孔２を備え、表面に座金表面突起４が、裏面に座金裏面突起５がある。座金表面突起４及び座金裏面突起５もプレス機で加圧成形してある。この座金１もボルト又はナット等の螺子類６（図１（ｃ））の頭部裏面にセットして又は脱落しないように取り付けて使用するものである。図１（ｇ）の座金１の座金表面突起４は、基本的には図３（ａ）（ｂ）の突起と同じ形状であり、複数の山形突起が座金の周方向に連続して放射状に形成された山形放射状突起であり（以下「山形放射状突起」という。）、図１（ｃ）の頭部突起８と嵌合可能である。
【００２６】
図１（ｃ）の頭部突起８は頭部裏面の周方向に複数個突設されている。その形状は下向きの円錐状である。その先端（下端）形状は弧状が望ましい。頭部突起８の形状、個数、間隔等は図１（ｇ）の座金１の座金表面突起４と嵌合できるように設計してある。
【００２７】
（座金の実施形態４）
図１（ｈ）に示す座金１も、座金基板３の中心部に差し込み孔２を備え、表面が平面状であり、裏面に座金裏面突起５がある。座金裏面突起５はプレス機で加圧成形してある。この座金１もボルト又はナット等の螺子類６（図１（ｄ））の頭部裏面にセットして又は脱落しないように取り付けて使用するものである。図１（ｈ）の座金１の座金裏面突起５は、図３（ａ）（ｂ）の突起と同じ形状の山形放射状突起であり、締め付け対象物Ａ（図５（ｃ））に食い込み又は圧接可能である。
【００２８】
図１（ｈ）の座金１の表面は平面状であり、それには、図１（ｄ）のボルト６の頭部突起８が食い込み可能である。頭部突起８は頭部裏面の周方向に複数個突設されている。その形状は下向きの円錐状にして、その先端（下端）を座金１の表面に食い込み可能としてある。先端の形状は円弧状であってもよい。頭部突起８の形状、個数、間隔等は図１（ｈ）の座金１の表面に食い込み可能なように設計することができる。
【００２９】
（座金の実施形態５）
図１（ｅ）〜（ｇ）の座金裏面突起５は、螺子類６の締め付けにより、締め付け対象物Ａ（図４（ｃ））に食い込み可能な形状、硬さであるが、締め付け対象物Ａが傷付きを嫌うものの場合は、座金裏面突起５は締め付け対象物Ａに圧接可能なもの、例えば、スプリング、ゴム、樹脂等とすることもできる。スプリング、ゴム、樹脂等は座金に埋め込むとか接着材で接着するといった他の各種方法で取り付けることができる。
【００３０】
（座金セットの実施形態１）
本発明の座金セットは二枚の座金を重ね合わせたものである。例えば、図２（ｄ）と（ｅ）、図２（ｆ）と（ｇ）、図２（ｈ）と（ｉ）、図２（ｊ）と（ｋ）、図２（ｌ）と（ｍ）のように重ね合わせることができる。これら座金１は、座金１の表面に座金表面突起４を、座金１の裏面に座金裏面突起５を備えたものであり、座金表面突起４と座金裏面突起５は互いに嵌合可能なものである。
【００３１】
図２（ｄ）（ｅ）の座金１は同じ形状で、一方が複数個の突起、他方が山形放射状突起であり、互いに表面と裏面を逆向きにして対向配置してある。上座金１ａの上座金表面突起４は螺子類６の頭部突起８と嵌合可能であり、上座金１ａの上座金裏面突起５は下座金１ｂの下座金表面突起４と嵌合可能であり、下座金１ｂの下座金裏面突起５は締め付け対象物Ａ（図８（ｃ））に食い込み可能である。頭部突起８は図２（ａ）に示すような山形放射状突起である。
【００３２】
（座金セットの実施形態２）
図２（ｆ）の座金１は座金表面突起４が複数個の突起であり、座金裏面突起５は山形放射状突起である。図２（ｇ）の座金１の座金表面突起４も座金裏面突起５も複数個の突起である。上座金１ａの上座金表面突起４は図２（ｂ）の平面状の頭部裏面１０に食い込み可能であり、上座金１ａの上座金裏面突起５は下座金の下座金表面突起４と嵌合可能であり、下座金１ｂの下座金裏面突起５は締め付け対象物Ａ（図８（ｃ））に食い込み可能である。
【００３３】
（座金セットの実施形態３）
図２（ｈ）の上座金１ａは上座金表面突起４も上座金裏面突起５も複数個の突起であり、図２（ｉ）の下座金１ｂは下座金表面突起４が山形放射状突起であり、下座金裏面突起５が複数個の突起である。図２（ｈ）の上座金１ａの上座金表面突起４は図２（ｂ）の平面状の頭部裏面１０に食い込み可能、上座金１ａの上座金裏面突起５は下座金１ｂの下座金表面突起４と嵌合可能、下座金１ｂの下座金裏面突起５は締め付け対象物Ａ（図８（ｃ））に食い込み可能である。
【００３４】
（座金セットの実施形態４）
図２（ｊ）の上座金１ａは上座金表面突起４も上座金裏面突起５も山形放射状突起であり、図２（ｋ）の下座金１ｂは下座金表面突起４も下座金裏面突起５も複数個の突起である。上座金１ａの上座金表面突起４は図２（ｃ）の頭部突起８と嵌合可能、上座金１ａの上座金裏面突起５は下座金１ｂの下座金表面突起４と嵌合可能、下座金１ｂの下座金裏面突起５は締め付け対象物Ａ（図８（ｃ））に食い込み可能である。
【００３５】
（座金セットの実施形態５）
図２（ｌ）の上座金１ａと図２（ｍ）の下座金１ｂは同じ形状であり、座金表面突起４が山形放射状突起であり、座金裏面突起５が複数個の突起である。上座金１ａの上座金表面突起４は図２（ｃ）の頭部突起８と嵌合可能、上座金１ａの上座金裏面突起５は下座金１ｂの下座金表面突起４と嵌合可能、下座金１ｂの下座金裏面突起５が締め付け対象物Ａ（図８（ｃ））に食い込み可能である。
【００３６】
［座金の共通事項］
前記実施形態において、頭部突起８、座金表面突起４、座金裏面突起５は、山形放射状突起の場合も、一個又は複数個の突起の場合も、共通する場合は同じ形状、構造とすることができる。
【００３７】
（座金付き螺子類の実施形態１）
本発明の座金付き螺子類の一例として図４（ａ）〜（ｃ）に示すものは、螺子類６がボルトであり、螺子類６の頭部７の下のボルト軸１８の首付近に一枚の座金１が抜け落ちないように取り付けられたものである。
【００３８】
図４（ａ）（ｂ）に示す螺子類６はその頭部７の裏面からボルト軸１８が突設され、頭部７の裏面周方向全周に側面視略Ｖ字状或いはＵ字状の山形の頭部突起８が連続して成形され、差し込み孔２側から外周側に放射状に成形されている。これら頭部突起８も山形放射状突起であり、図３（ｂ）のように乗り越え斜面３０と係止斜面３１を備えており、両斜面の頂部８ａが稜線部、両斜面の根元部分が谷部８ｂとなっている。稜線部も谷部も弧状である。
【００３９】
図４（ａ）では、ボルト軸１８にネジ山１９（図４（ｃ））を形成する前に、ボルト軸１８の首付近に一枚の座金１をセットする。座金１はボルト軸１８に水平回転可能でボルト軸１８の軸方向にスライド可能にセットする。セット後に、ボルト軸１８の外周面のうち座金１よりも下方部分にネジ山１９を切り、ネジ山１９の直径を座金１の差し込み孔２よりも大きくして、座金１が当該ネジ山１９に係止してボルト軸１８から抜け落ちないようにしてある。
【００４０】
図４（ａ）の座金１は図１（ｅ）の座金１と同じものである。この座金一枚付き螺子類では、螺子類６の締め付けにより、頭部突起８の乗り越え斜面３０（図３（ｂ））が座金表面突起４を乗り越えながら座金１が締め付けられ、座金裏面突起５が締め付け対象物Ａ（図４（ｃ））に食い込む。締め付け終えると頭部突起８の係止斜面３１（図３（ｂ））と座金表面突起４が嵌合して逆戻りしにくくなる。座金表面突起４は頭部突起８と嵌合できる形状、間隔であり、締め付け後に不用意に逆戻りしなければ、その個数は一個でも二個以上の任意数の複数個でもよく、形状も他の形状で、例えば、図３（ｄ）（ｅ）に示すような細長突起であってもよい。
【００４１】
図４（ｂ）の座金裏面突起５は螺子類６の締め付けにより、締め付け対象物Ａ（図４（ｃ））に食い込み可能な突起である。締め付け対象物Ａ、Ｂは金属板、木材、樹脂板等である。締め付け対象物Ａ、Ｂが傷付きを嫌うものの場合は、座金裏面突起５をスプリング、摩擦抵抗の大きいゴム、樹脂等にして、締め付け対象物Ａ、Ｂに圧接可能なものとすることもできる。
【００４２】
（座金付き螺子類の実施形態２）
本発明の座金付き螺子類の他例として図５（ｂ）に示すものも螺子類６がボルトの場合であり、螺子類６の頭部７の下のボルト軸１８の首付近に一枚の座金１が抜け落ちないように取り付けられたものである。この座金付き螺子類の基本形態は図４（ｂ）に示す座金付き螺子類と同じであり、異なるのは、螺子類６の頭部裏面に複数個の頭部突起８を設け、座金１の表面に山形放射状の座金表面突起４を設けたことである。頭部突起８と座金表面突起４は螺子類６の締め付けにより互いに嵌合できるものである。
【００４３】
（座金付き螺子類の実施形態３）
本発明の座金付き螺子類の他例を図６（ａ）〜（ｃ）に示す。この座金付き螺子類は螺子類６がナットの場合である。螺子類６の頭部７の裏面に突出しているカシメ軸２０に一枚の座金１をセットし、図６（ｃ）のようにカシメ軸２０の下端部２１を座金１の差し込み孔２の外周縁にカシメることにより、座金１をカシメ軸２０に取り付けてカシメ軸２０から抜けないようにしてある。この場合、座金１がカシメ軸２０の外周を水平回転でき、カシメ軸２０の軸方向にスライドできる程度の強さでカシメる（強くカシメ過ぎない）。
【００４４】
図６（ａ）に示す螺子類６では、その頭部７の裏面の周方向全周に頭部突起８が形成されている。この頭部突起８は図３（ｂ）に示すものと同様の山形放射状突起であり、乗り越え斜面３０、係止斜面３１、弧状の頂部８ａ、谷部８ｂを備えている。
【００４５】
図６（ａ）に示す座金１は図１（ｅ）の座金１と同じ形状である。座金１の周方向に複数個の座金表面突起４と複数個の座金裏面突起５を備えている。座金表面突起４は螺子類６の頭部突起８と嵌合できる形状である。座金裏面突起５は締め付け対象物Ａ、Ｂ（図５（ｃ））に食い込み可能又は圧接可能な突起である。
【００４６】
（座金付き螺子類の実施形態４）
本発明の座金付き螺子類の他例として図７（ｂ）に示すものも、螺子類６がナットの場合であり、螺子類６の頭部７の下のカシメ軸２０の首付近に一枚の座金１が抜け落ちないように取り付けられている。この座金付き螺子類の基本形態は図６（ｂ）に示す座金付き螺子類と同じであり、異なるのは、座金１の座金表面突起４を山形放射状突起としたことである。座金表面突起４は図３（ｂ）の山形突起と同じ形状である。座金裏面突起５は図６（ａ）の座金裏面突起５と同じ形状である。頭部突起８は図３（ｄ）（ｅ）の座金表面突起と同じ形状であり、螺子類６の締め付けにより座金裏面突起５と嵌合できるものである。
【００４７】
（座金付き螺子類の実施形態５）
本発明の座金付き螺子類の他例として図８（ａ）〜（ｃ）に示すものは、螺子類６がボルトであり、それに二枚の座金１（１ａ、１ｂ）を抜けないようにセットしたものである。螺子類６の頭部裏面の周方向全周に頭部突起８が形成されている。この頭部突起８は図１（ａ）の頭部突起８と同様に側面視略Ｖ字状又はＵ字状の突起が連続して成形されており、その形状は図３（ｂ）の突起と同様に山形放射状である。
【００４８】
図８（ａ）に示す上座金１ａは複数個の上座金表面突起４と山形放射状の上座金裏面突起５を備えている。上座金表面突起４は座金１の表面の周方向数箇所に突設されており、頭部突起８と噛み合い可能である。上座金裏面突起５は側面視略Ｖ字状又はＵ字状の山形突起が連続して放射状に成形されており、その形状は図３（ｂ）の突起と同様に山形放射状である。
【００４９】
図８（ａ）に示す下座金１ｂは山形放射状の下座金表面突起４と複数個の下座金裏面突起５を備えている。下座金表面突起４は上座金裏面突起５と同様に、下座金１ｂの周方向全周に側面視略Ｖ字状又はＵ字状の山形突起が連続して放射状に成形されており、その形状は図３（ｂ）の突起と同様に山形放射状である。下座金１ｂの下座金表面突起４と上座金１ａの上座金裏面突起５は互いに嵌合可能である。
【００５０】
（座金付き螺子類の実施形態６）
本発明の座金付き螺子類の他例として図９（ａ）〜（ｃ）に示すものは、基本的構成が図８（ａ）〜（ｃ）に示すものと同じである。異なるのは頭部裏面１０を平面状にしたこと、上座金１ａの表面に複数個の上座金表面突起４を設けて、螺子類６の締め付けにより、上座金表面突起４が平面状の頭部裏面１０に食い込むようにしたことである。上座金表面突起４は図９（ａ）のように円錐状にして、その先端を頭部裏面１０に食い込み易くしてある。
【００５１】
（座金付き螺子類の実施形態７）
本発明の座金付き螺子類の他例として図１０（ａ）〜（ｃ）に示すものは、螺子類６がナットの場合であり、それに二枚の座金１（上座金１ａ、下座金１ｂ）を抜けないように取り付けたものである。螺子類６の頭部裏面の周方向全周に頭部突起８が形成されている。この頭部突起８は図１（ａ）の頭部突起８と同様に側面視略Ｖ字状又はＵ字状の山形突起が連続して放射状に成形されている。その形状は図３（ｂ）の突起と同様に山形放射状である。
【００５２】
図１０（ａ）に示す上座金１ａは上座金表面突起４と上座金裏面突起５を備えている。上座金表面突起４は上座金１ａの表面の周方向数箇所に突設されており、山形放射状の頭部突起８と嵌合できる形状である。上座金裏面突起５は側面視略Ｖ字状又はＵ字状の山形突起が連続して放射状に成形されている。その形状も図３（ｂ）の突起と同様に山形放射状である。
【００５３】
図１０（ａ）に示す下座金１ｂは下座金表面突起４と下座金裏面突起５を備えている。下座金表面突起４は上座金裏面突起５と同様に、下座金１ｂの周方向全周に側面視略Ｖ字状又はＵ字状の山形突起が連続して山形放射状に成形され、その形状も図３（ｂ）の突起と同様に山形放射状である。下座金裏面突起５は複数個の突起である。
【００５４】
（座金付き螺子類の実施形態８）
本発明の座金付き螺子類の他例として図１１（ａ）〜（ｃ）に示すものは、基本的構成が図１０（ａ）〜（ｃ）に示すものと同じである。異なるのは頭部裏面１０を平面状にしたこと、上座金１ａの表面に複数個の上座金表面突起４を設けて、この上座金表面突起４が螺子類６の締め付けにより頭部裏面１０に食い込むようにしたことである。この上座金表面突起４も円錐形にしてある。
【００５５】
（座金の使用例）
図１（ｅ）の座金１は、図１２のナット６と組み合わせて使用することができる。このナット６は頭部７の下に筒状のガイド４０を備えたものである。このガイド４０を座金１の差し込み孔２に差し込んで頭部７の下にセットしてから、通常のナットと同様にボルトに螺合する。図１（ａ）の座金１は既存のナットやボルトに一枚或いは二枚をセットして使用することもできる。
【００５６】
（座金付き螺子類の使用例）
本発明の座金付き螺子類の使用例を、図４（ｃ）、図５（ｃ）、図８（ｃ）、図９（ｃ）に示す。これら使用例は二枚の板状の締め付け対象物Ａ、Ｂを連結固定する場合の例である。これら使用例のうち、図４（ｃ）の使用例を以下に説明する。
（１）重ねてある二枚の締め付け対象物Ａ、Ｂの挿通孔に座金付きボルト２５のボルト軸１８を挿通する。
（２）下の締め付け対象物Ｂの下方に突出したボルト軸１８に座金付きナット２６を螺合し、座金付きナット２６を締め付けて、座金付きボルト２５の頭部突起８と座金表面突起４を嵌合させ、座金付きナット２６の頭部突起８と座金表面突起４を嵌合させる。その後も締め付けて座金付きボルト２５の座金裏面突起５を締め付け対象物Ａに食い込ませ、座金付きナット２６の座金裏面突起５を締め付け対象物Ｂに食い込ませて、二つの締め付け対象物Ａ、Ｂを連結する。
【００５７】
本発明における頭部突起８、座金表面突起４、座金裏面突起５は、互いに嵌合可能な波型（図１３（ａ）（ｂ））であってもよい。
【００５８】
本発明における両面座金は図１４（ａ）（ｂ）のように、表面と裏面の一方の面に複数個の突起５（４）を、他方の面に山形放射状の突起４（５）を形成して、表面と裏面のいずれかの面を螺子類６の頭部裏面に向けて、図１５のようにセット或いは抜け落ちないように取り付けできるようにした両面座金であってもよい。
【産業上の利用可能性】
【００５９】
本発明における螺子類には鋲、ビス、その他の螺子類も含まれる。本発明における連続突起の稜線部８ａ、谷部８ｂは他の形状、例えば、略平面状であってもよい。また、連続突起は稜線部８ａの一方（回転方向手前）に乗り越え斜面３０（図３（ｂ））が、稜線部８ａの他方（回転方向先方）に係止斜面３１（図３（ｂ））があるが、それら乗り越え斜面３０、係止斜面３１の角度は、螺子類６が回転し易く、締め付け後は緩みにくい任意の角度に設計することができる。
【００６０】
本発明における頭部突起、座金表面突起、座金裏面突起の形状、個数は、互いに嵌合する突起同士が噛み合い可能なように設計する。例えば、噛み合う一方の突起は山形連続放射状突起とし、他方の突起は独立した一個又は複数個の突起とすることができる。
【符号の説明】
【００６１】
１        座金
１ａ      上座金
１ｂ      下座金
２        差し込み孔
３        座金基板
４        座金表面突起（上座金表面突起、下座金表面突起）
４ａ      （座金表面突起の）頂部
５        座金裏面突起（上座金裏面突起、下座金裏面突起）
５ａ      （座金裏面突起の）頂部
６        螺子類
７        （螺子類の）頭部
８        頭部突起
８ａ      （山形突起の）稜線部
８ｂ      （山形突起の）谷部
１０      頭部裏面
１１      加圧跡（凹陥部） 
１８      ボルト軸
１９      ネジ山
２０      カシメ軸
２１      （カシメ軸の）下端部
２５      座金付きボルト
２６      座金付きナット
３０      乗り越え斜面
３１      係止斜面
４０      ガイド
Ａ、Ｂ    締め付け対象物
【図１】
2018189097.tif 000003
【図２】
2018189097.tif 000004
【図３】
2018189097.tif 000005
【図４】
2018189097.tif 000006
【図５】
2018189097.tif 000007
【図６】
2018189097.tif 000008
【図７】
2018189097.tif 000009
【図８】
2018189097.tif 000010
【図９】
2018189097.tif 000011
【図１０】
2018189097.tif 000012
【図１１】
2018189097.tif 000013
【図１２】
2018189097.tif 000014
【図１３】
2018189097.tif 000015
【図１４】
2018189097.tif 000016
【図１５】
2018189097.tif 000017